(57)【特許請求の範囲】
【請求項１】
距離を離して設置された二つの固定部と、水平に伸縮する伸縮部を有し、伸縮部の一端が一方の固定部に固定され、伸縮部を伸縮させて固定部間を開閉する伸縮門扉に使用する伸縮門扉用の錠であって、伸縮部の他端側又は他方の固定部に取り付けられる本体部と、他方の固定部または伸縮部の他端側に取り付けられるストライク部を有する伸縮門扉用の錠において、
ストライク部は、主要構成をなすベースと、略水平に配置された棒状部を有し、
前記ベースには凹部が形成されており、
前記棒状部の形状は、中央の嵌合部と、当該嵌合部の両側の端部とを有する略ひ字状であり、
前記嵌合部が両側の端部よりも前記本体部側に配置された状態で、前記両側の端部が前記ベースの凹部に嵌まっており、
前記棒状部は、両側の端部を軸として回動可能であり、
本体部は、前記棒状部の嵌合部に当接する当接部と、前記嵌合部を巻き込むフック部を有し、
前記当接部とフック部は連動し、常時フック部は開放方向に付勢されており、
当接部が一定量押し込まれるとフック部が前記嵌合部を巻き込む方向に付勢されることを特徴とする伸縮門扉用の錠。
【請求項２】
前記棒状部の嵌合部を巻き込む方向に付勢されたフック部の姿勢を保持することが可能であることを特徴とする請求項１に記載の伸縮門扉用の錠。
【請求項３】
ストライク部はガイド部を有し、ガイド部によって棒状部の回動範囲が制限されていることを特徴とする請求項１又は２に記載の伸縮門扉用の錠。
【請求項４】
本体部は、略水平方向に突出した突出部を有し、前記突出部は前記ストライク部を誘導可能であることを特徴とする請求項１乃至３のいずれかに記載の伸縮門扉用の錠。
【請求項５】
前記突出部は、上下に対向配置されていることを特徴とする請求項４に記載の伸縮門扉用の錠。
【請求項６】
前記突出部は、先端側に向かって細い形状を有することを特徴とする請求項４又は５に記載の伸縮門扉用の錠。
【発明の詳細な説明】
【技術分野】
【０００１】
本発明は伸縮門扉用の錠に関し、さらに詳細には、伸縮部を伸縮させて固定部間を開閉する伸縮門扉に使用する伸縮門扉用の錠に関する。
【背景技術】
【０００２】
伸縮門扉は、不審者の侵入を防止する等の防犯用途で広く利用されている。伸縮門扉は、門柱間を伸縮する門扉で開閉可能であり、伸縮門扉と門柱に設けられた各施錠装置で施錠を行う。特許文献１には、施錠装置を備えた伸縮門扉が開示されている。
【先行技術文献】
【特許文献】
【０００３】
【特許文献１】特開２００４−２７０２２４号公報
【発明の概要】
【発明が解決しようとする課題】
【０００４】
特許文献１に開示された伸縮門扉は、操作部を水平方向に移動させることで伸縮門扉が伸縮し、操作部を上下方向に移動させることで施錠を行う。このため、伸縮門扉の伸縮と施錠を片手で行うことができる。
ところが、特許文献１に開示された伸縮門扉は、施錠を行うのに、操作部の水平方向と垂直方向の移動という動作が必要であり、面倒である。
【０００５】
上記した現状に鑑み、本発明は容易に施錠が可能な伸縮門扉用の錠の提供を目的とする。
【課題を解決するための手段】
【０００６】
上記課題を解決するための請求項１に記載の発明は、距離を離して設置された二つの固定部と、水平に伸縮する伸縮部を有し、伸縮部の一端が一方の固定部に固定され、伸縮部を伸縮させて固定部間を開閉する伸縮門扉に使用する伸縮門扉用の錠であって、伸縮部の他端側又は他方の固定部に取り付けられる本体部と、他方の固定部または伸縮部の他端側に取り付けられるストライク部を有する伸縮門扉用の錠において、ストライク部は、主要構成をなすベースと、略水平に配置された棒状部を有し、前記ベースには凹部が形成されており、前記棒状部の形状は、中央の嵌合部と、当該嵌合部の両側の端部とを有する略ひ字状であり、前記嵌合部が両側の端部よりも前記本体部側に配置された状態で、前記両側の端部が前記ベースの凹部に嵌まっており、前記棒状部は、両側の端部を軸として回動可能であり、本体部は、前記棒状部の嵌合部に当接する当接部と、前記嵌合部を巻き込むフック部を有し、前記当接部とフック部は連動し、常時フック部は開放方向に付勢されており、当接部が一定量押し込まれるとフック部が前記嵌合部を巻き込む方向に付勢されることを特徴とする伸縮門扉用の錠である。
【０００７】
本発明の伸縮門扉用の錠は、距離を離して設置された二つの固定部と、水平に伸縮する伸縮部を有し、伸縮部の一端が一方の固定部に固定され、伸縮部を伸縮させて固定部間を開閉する伸縮門扉に使用される。本発明の伸縮門扉用の錠は、伸縮部の他端側又は他方の固定部に取り付けられる本体部と、他方の固定部または伸縮部の他端側に取り付けられるストライク部を有している。そして、本発明の伸縮門扉用の錠では、ストライク部は、主要構成をなすベースと、略水平に配置された棒状部を有し、前記ベースには凹部が形成されており、前記棒状部の形状は、中央の嵌合部と、当該嵌合部の両側の端部とを有する略ひ字状であり、前記嵌合部が両側の端部よりも前記本体部側に配置された状態で、前記両側の端部が前記ベースの凹部に嵌まっており、前記棒状部は、両側の端部を軸として回動可能であり、本体部は、前記棒状部の嵌合部に当接する当接部と、前記嵌合部を巻き込むフック部を有し、前記当接部とフック部は連動し、常時フック部は開放方向に付勢されている。そして、本発明の伸縮門扉用の錠では、当接部が一定量押し込まれるとフック部が嵌合部を巻き込む方向に付勢される。すなわち、当接部がストライク部に押し込まれると、当接部に連動したフック部が前記嵌合部を巻き込む。さらに、フック部はストライク部を巻き込む方向に付勢されることによりストライク部がフック部で強固にロックされる。本発明の伸縮門扉用の錠によれば、本体部とストライク部とを合致させるだけで、両者を容易に施錠することができる。
【０００８】
本発明の伸縮門扉用の錠では、棒状部は、上下方向に自由度を有する。すなわち、棒状部は、グラグラする状態である。そのため、本発明の伸縮門扉用の錠は、例えば地面がデコボコしていて本体部とストライク部の上下方向の位置がずれた場合にでも、容易に施錠することができる。
【０００９】
請求項２に記載の発明は、前記棒状部の嵌合部を巻き込む方向に付勢されたフック部の姿勢を保持することが可能であることを特徴とする請求項１に記載の伸縮門扉用の錠である。
【００１０】
本発明の伸縮門扉用の錠では、前記棒状部の嵌合部を巻き込む方向に付勢されたフック部の姿勢を保持することが可能である。そのため、本発明の伸縮門扉用の錠は、本体部とストライク部の施錠をさらに強固にすることができる。
【００１１】
請求項３に記載の発明は、ストライク部はガイド部を有し、ガイド部によって棒状部の回動範囲が制限されていることを特徴とする請求項１又は２に記載の伸縮門扉用の錠である。
【００１２】
本発明の伸縮門扉用の錠では、ストライク部はガイド部を有し、ガイド部によって棒状部の回動範囲が制限されている。つまり、棒状部はガイド部で制限された範囲内でのみ自由に位置することができる。このことにより、例えば、棒状部が本体部と合致できないような位置に至ることがない。本発明の伸縮門扉用の錠によれば、より確実に施錠を行うことができる。
【００１３】
請求項４に記載の発明は、本体部は、略水平方向に突出した突出部を有し、前記突出部は前記ストライク部を誘導可能であることを特徴とする請求項１乃至３のいずれかに記載の伸縮門扉用の錠である。
【００１４】
本発明の伸縮門扉用の錠では、本体部は、略水平方向に突出した突出部を有し、前記突出部は、前記ストライク部を誘導可能である。例えば、ストライク部と本体部の位置がずれている場合にでも、突出部でストライク部を誘導することにより、ストライク部と本体部の位置を合わせることができる。本発明の伸縮門扉用の錠によれば、本体部とストライク部とを容易に合致させることができる。
【００１５】
請求項５に記載の発明は、前記突出部は、上下に対向配置されていることを特徴とする請求項４に記載の伸縮門扉用の錠である。
【００１６】
本発明の伸縮門扉用の錠では、前記突出部は、上下に対向配置されている。例えば、ストライク部と本体部の上下方向の位置がずれている場合にでも、上下に対向配置された突出部でストライク部を誘導することにより、ストライク部と本体部の位置を容易に合わせることができる。本発明の伸縮門扉用の錠によれば、本体部とストライク部とを合致させることは、さらに容易となる。
【００１７】
請求項６に記載の発明は、前記突出部は、先端側に向かって細い形状を有することを特徴とする請求項４又は５に記載の伸縮門扉用の錠である。
【００１８】
本発明の伸縮門扉用の錠では、前記突出部は、先端側に向かって細い形状を有する。例えば、上下に対向配置された突出部においては、両者の先端側同士は十分距離を空けながら、両者の根元側同士を近接させることができる。このため、突出部の先端側同士の間に入ったストライク部は、突出部の根元側同士が近接し狭まっているため、近接した位置に嵌る。つまり、本体部内でのストライク部の位置精度を高くすることができる。本発明の伸縮門扉用の錠によれば、本体部とストライク部とを確実に合致させることができる。
【発明の効果】
【００１９】
本発明の伸縮門扉用の錠によれば、本体部とストライク部とを合致させるだけで、両者を容易に施錠することができる。
また、本発明の伸縮門扉用の錠によれば、例えば地面がデコボコしていて本体部とストライク部の上下方向の位置がずれた場合にでも、容易に施錠することができる。
【図面の簡単な説明】
【００２０】
【図１】本発明の実施形態に係る伸縮門扉用の錠を備えた伸縮門扉を示す斜視図である。
【図２】図１の伸縮門扉に本体部が取り付けられた部分を拡大した斜視図である。
【図３】図１の伸縮門扉にストライク部が取り付けられた部分を拡大した斜視図である。
【図４】本体部とストライク部の斜視図である。
【図５】ストライク部を示す図であり、（ａ）は正面図、（ｂ）は側面図である。
【図６】ストライク部の分解斜視図である。
【図７】ストライク部のベースを示す図であり、（ａ）は正面図、（ｂ）は背面図、（ｃ）は（ａ）のＡ−Ａ断面図である。
【図８】ストライク部の棒状部の位置を示す図であり、（ａ）は上限、（ｂ）は略水平、（ｃ）は下限である。
【図９】本体部を示す正面図である。
【図１０】本体部の分解斜視図である。
【図１１】本体部の錠部を示す分解斜視図である。
【図１２】錠部の鎌部を示す図であり、（ａ）は正面図、（ｂ）は側面図、（ｃ）は（ａ）の鎌板部の一部を省略した正面図である。
【図１３】錠部のホルダ部を示す図であり、（ａ）は平面図、（ｂ）は正面図である。
【図１４】錠部のレバー用ハブを示す図であり、（ａ）は正面図、（ｂ）は側面図、（ｃ）は（ａ）のレバー板部の一部を省略した正面図である。
【図１５】錠部のロック部を示す図であり、（ａ）は正面図、（ｂ）は背面図である。
【図１６】本体部の動作状態を示す図であり、開状態を示す。
【図１７】本体部が開状態から閉状態に切り替わる動作を示す図であり、（ａ）は当接部に棒状部が当接した状態、（ｂ）は摺動ピンが先端部まで達した状態、（ｃ）はフック部が棒状部を巻き込んだ状態である。
【図１８】本体部の動作状態を示す図であり、閉状態を示す。
【図１９】本体部の動作状態を示す図であり、解錠状態を示す。
【図２０】本体部の動作状態を示す図であり、閉状態の保持を示す。
【発明を実施するための形態】
【００２１】
以下は、本発明の伸縮門扉用の錠の実施形態について、図面を参照しながら詳細に説明する。なお、以下の説明は、実施形態の理解を容易にするためのものであり、これによって、本発明が制限して理解されるべきではない。
【００２２】
まず、本発明の実施形態に係る伸縮門扉用の錠１の伸縮門扉９０への取付状態から説明する。なお、図１６における伸縮門扉用の錠１の本体部２の長手方向を「上下方向」とし、長手方向に直交する方向を「水平方向」、「左右方向」とする。
【００２３】
図１に示すように、伸縮門扉用の錠１は、伸縮門扉９０等を施錠するためのものであり、伸縮門扉９０等に取り付けて使用されるものである。伸縮門扉用の錠１は、図２に示すように、本体部２を有している。本体部２は、伸縮門扉９０（伸縮部）の端部に位置する桟９１に取り付けられている。伸縮門扉用の錠１は、図３に示すように、ストライク部３を有している。ストライク部３は、門柱９２（固定部）に取り付けられている。
【００２４】
つぎに、本発明の実施形態に係る伸縮門扉用の錠１の構成について説明する。
伸縮門扉用の錠１は、図４（伸縮門扉９０等の図示を省略）に示すように、本体部２とストライク部３が互いに向き合うようにして使用する。本体部２とストライク部３が合致することで伸縮門扉９０等を施錠する。
【００２５】
ストライク部３は、本体部２を挿入し、本体部２と嵌合するための部材であり、伸縮門扉用の錠１の受け部をなすものである。ストライク部３は、図５（ａ），（ｂ）に示すように、その外形が箱状である。ストライク部３は、その略中央部に貫通孔１１ａを有しており、貫通孔１１ａの中には棒状部１２を有している。棒状部１２は、略水平に配置されている。
ストライク部３は、図６に示すように、前面板１０と、ベース１１と、棒状部１２と、裏板１３と、ねじ１４を有している。
【００２６】
ベース１１は、ストライク部３の主要構成をなすものである。図７（ａ），（ｂ）に示すように、ベース１１は正面視で略長方形であり、その略中央に貫通孔１１ａを有している。貫通孔１１ａは十字状の貫通した孔であり、本体部２が上下方向にずれた場合にでも本体部２を挿入可能な高さを有している。貫通孔１１ａ内には、ガイド部１１ｂが設けられている。ガイド部１１ｂは、棒状部１２の可動範囲を制限するためのものである。ガイド部１１ｂは、上下左右に対向配置されている。図７（ｃ）に示すように、上下に対向配置されたガイド部１１ｂは、前面側から裏面側へ向かって、両者は近接するように傾斜している。
図７（ｂ），（ｃ）に示すように、ベース１１の裏面側には、凹部１１ｃが設けられている。凹部１１ｃは、棒状部１２を回動可能に支持するための窪みであり、後述する棒状部１２の端部１２ｂが嵌まる大きさを有している。ベース１１には、さらに２個のねじ孔１１ｄが設けられており、ねじ孔１１ｄには、ねじ１４が挿通される。
ベース１１は、複雑な形状であり、樹脂で成形することが好ましい。
【００２７】
棒状部１２は、本体部２と嵌合するための部材である。図６に示すように、棒状部１２は平面視で略ひ字状になるように、棒状の部材を折り曲げたような形状を有している。棒状部１２は、直線状の嵌合部１２ａと、端部１２ｂを有している。嵌合部１２ａは、左右に配置されたガイド部１１ｂと接触する程度の長さを有している。端部１２ｂは、ベース１１の凹部１１ｃに嵌る径を有している。
前面板１０は、平板状であり、その略中央に開口１０ａを有している。開口１０ａの形状は十字状であり、ベース１１の貫通孔１１ａと略同一の大きさを有する。前面板１０には、さらに２個のねじ孔１０ｂが設けられており、ねじ孔１０ｂには、ねじ１４が挿通される。
裏板１３は、棒状部１２がベース１１から抜けることを防止するための部材である。裏板１３は、ひ字状を縦にしたような形状である。裏板１３は、２個のねじ孔１３ａを有しており、ねじ孔１３ａには、ねじ１４が挿通される。
棒状部１２、前面板１０および裏板１３は、ステンレス鋼等の剛性材料からなることが好ましい。
【００２８】
つぎに、ストライク部３がとり得る姿勢について説明する。ストライク部３は、棒状部１２の端部１２ｂがベース１１の凹部１１ｃで回動可能に支持されている。このため、棒状部１２は、棒状部１２の端部１２ｂを軸として回動する。図８（ａ）〜（ｃ）に示すように、棒状部１２はガイド部１１ｂで制限された範囲の中でのみ回動可能である。棒状部１２の回動範囲は、図８（ａ）に示す「上限」から図８（ｃ）に示す「下限」までであり、他のものから受けた作用によって回動する。つまり、棒状部１２は、上下方向に自由度を有している。すなわち、棒状部１２は、グラグラする状態である。ストライク部３は、「上限」から「下限」まで、棒状部１２を自由に回動させることができる。棒状部１２の自由度は、図８（ｂ）に示すように、棒状部１２が略水平の状態を０度の角度とすると、少なくとも±５度以上の角度を有するものである。より望ましくは±１５度〜±２５度の角度を有するものである。
【００２９】
つづいて、本体部２の構成について説明する。本体部２は、ストライク部３と嵌合するための部材であり、伸縮門扉用の錠１の錠部をなすものである。本体部２は、図９に示すように、Ｆ字状を逆にしたような形状を有している。
【００３０】
本体部２は、図１０に示すように、突出部２０と、前面板２１と、錠部２２を有している。
突出部２０は、ストライク部３の棒状部１２を誘導するための部材であり、さらに錠部２２を保護するための樹脂製の部材である。突出部２０は、図９，１０に示すようにコ字状であり、水平方向に突出する誘導部２０ａ，２０ｂを有している。このことにより、例えば、ストライク部３と本体部２の位置がずれている場合にでも、突出部２０でストライク部３を誘導することにより、ストライク部３と本体部２の位置を合わせることができる。
【００３１】
また、誘導部２０ａ，２０ｂは、図９に示すように、上下に対向配置されている。このことにより、例えば地面がデコボコしていて、ストライク部３と本体部２の上下方向の位置がずれた場合にでも、上下に対向配置された誘導部２０ａ，２０ｂでストライク部３を誘導することにより、ストライク部３と本体部２の位置を容易に合わせることができ、施錠することができる。
さらに、誘導部２０ａ，２０ｂは、先端側に向かって細い形状を有している。このことにより、例えば、誘導部２０ａ，２０ｂの先端側同士の間に入ったストライク部３は、誘導部２０ａ，２０ｂの根元側同士が近接し狭まっているため、近接した位置に嵌る。つまり、本体部２内でのストライク部３の位置精度を高くすることができる。
【００３２】
前面板２１は、図１０に示すように、枠状の板部材である。前面板２１は、前述のストライク部３の前面板１０に、突出部２０の一部を挟んで当接する。
【００３３】
錠部２２は、本体部２の主要構成をなすものである。錠部２２は、図１０に示すように、水平方向に突出する突出部２２ａ，２２ｂを有している。突出部２２ａ，２２ｂは、上下に対向配置されており、各々突出部２０の誘導部２０ａ，２０ｂに挿通される。錠部２２は、図１１に示すように、筺体３０と、蓋３１と、鎌部３２と、ホルダ部３３と、レバー用ハブ３４と、ロック部３５と、摺動ピン３６ａ，３６ｂと、レバーハブ用バネ３７と、ロック部用バネ３８と、ホルダ用バネ３９と、皿ねじ４０を有している。
【００３４】
筺体３０は、図１１に示すように、斜め孔３０ａと、横孔３０ｂと、縦孔３０ｃと、レバー用孔３０ｄと、ロック部用孔３０ｅと、ネジ筒３０ｆ〜３０ｋを有している。
蓋３１は、筺体３０と同様に、斜め孔３１ａと、横孔３１ｂと、縦孔３１ｃと、レバー用孔３１ｄと、ロック部用孔３１ｅと、ネジ筒用孔３１ｆ〜３１ｋを有している。
筺体３０と蓋３１とは組み合わされるため、前述の各部位は対になっており、正面視で略重なる。なお、筺体３０と蓋３１とは、皿ねじ４０がネジ筒用孔３１ｆ〜３１ｋに挿通されてネジ筒３０ｆ〜３０ｋに締結されることによって組み合わされる。
【００３５】
鎌部３２は、ストライク部３に当接し、ストライク部３を巻き込むための部材である。図１２（ａ）に示すように、鎌部３２は略Ｌ字状である。鎌部３２は、図１２（ｂ）に示すように、鎌板部３２ａ，３２ｂと、土台部３２ｃを有している。鎌板部３２ａ，３２ｂは対向配置され、土台部３２ｃを挟み込んでいる。鎌板部３２ａ，３２ｂは、当接部３２ｄと、フック部３２ｅと、ピン３２ｆ，３２ｇと、鎌部用孔３２ｈと、先端部３２ｊと、傾斜部３２ｋを有している。鎌部３２は、先端部３２ｊから傾斜部３２ｋ側に向かって傾斜しており、円弧状をなしている。傾斜部３２ｋの望ましい形状は、インボリュートである。また、鎌部３２は、先端部３２ｊから当接部３２ｄ側に向かって略垂直な形状をなしている。
図１２（ｂ），（ｃ）に示すように、鎌板部３２ａ，３２ｂの間には、鎌部用バネ３２ｉが配置されている。鎌部用バネ３２ｉの端部はピン３２ｆに係合しており、鎌部用バネ３２ｉのもう一方の端部は、鎌部３２を筺体３０に組み込んだ際に摺動ピン３６ａに係合する。なお、鎌部用孔３２ｈがネジ筒３０ｊに挿通されることにより、鎌部３２は筺体３０に接合される。このことにより、鎌部３２は、ネジ筒３０ｊ（鎌部用孔３２ｈ）を支点として回動可能に支持される。すなわち、鎌部３２は、ネジ筒３０ｊ（鎌部用孔３２ｈ）を支点としてピン３２ｆが鎌部用バネ３２ｉで引っ張られる。このため、鎌部３２は、図１２（ｃ）において反時計回りに回動するように付勢される。この反時計回りの方向は、ストライク部３を開放する「開放方向」であり、鎌部３２のフック部３２ｅは開放方向に付勢される。
【００３６】
ホルダ部３３は、鎌部３２の当接部３２ｄが一定量押し込まれた際に、ストライク部３を巻き込んだ鎌部３２の姿勢を保持するための部材である。図１３（ａ），（ｂ）に示すように、ホルダ部３３は平面視でコ字状であり、正面視で平板状である。ホルダ部３３は、斜め孔３３ａと、解除孔３３ｂと、ホルダ部用孔３３ｃを有している。斜め孔３３ａと、解除孔３３ｂには、各々摺動ピン３６ａ，３６ｂが挿通される。ホルダ部用孔３３ｃがネジ筒３０ｈに挿通されることにより、ホルダ部３３は筺体３０に接合される。このことにより、ホルダ部３３はネジ筒３０ｈ（ホルダ部用孔３３ｃ）を支点として回動可能に支持される。また、図１１に示すホルダ用バネ３９もネジ筒３０ｈに係合させる。ホルダ用バネ３９の両端部は、ホルダ部３３を筺体３０に組み込んだ際に、各々摺動ピン３６ｂと筺体３０に当接する。すなわち、ホルダ部３３は、ネジ筒３０ｈ（ホルダ部用孔３３ｃ）を支点として、解除孔３３ｂに挿通された摺動ピン３６ｂがホルダ用バネ３９で押される。このため、ホルダ部３３は、図１３（ｂ）において反時計回りに回動するように付勢される。
【００３７】
レバー用ハブ３４は、ホルダ部３３を操作するための部材である。図１４（ａ）に示すように、レバー用ハブ３４は複雑な形状を有している。レバー用ハブ３４は、図１４（ｂ）に示すように、レバー土台部３４ｂと、レバー板部３４ｃ，３４ｄを有している。レバー板部３４ｃ，３４ｄは対向配置され、レバー土台部３４ｂを挟み込んでいる。
レバー用ハブ３４は、図１４（ａ）に示すように、レバー軸３４ａと、ピン３４ｅと、レバー頭部３４ｇと、レバー足部３４ｈを有している。レバー軸３４ａの略中央には、レバー用孔３４ｆを有している。レバー用孔３４ｆには、伸縮門扉９０等に取り付けられたプッシュプルハンドル等に連動する軸が挿入される。
また、レバー軸３４ａは、図１４（ｂ）に示すように、水平方向に突出しており、筺体３０のレバー用孔３０ｄに挿通される。このことにより、レバー用ハブ３４はレバー軸３４ａを支点として回動可能に支持される。また、図１４（ｂ），（ｃ）に示すように、レバー板部３４ｃ，３４ｄの間には、レバーハブ用バネ３７が配置されており、ピン３４ｅに係合している。レバーハブ用バネ３７の両端は、レバー用ハブ３４を筺体３０に組み込んだ際に、各々ネジ筒３０ｇとレバー土台部３４ｂに当接する。すなわち、レバー用ハブ３４は、レバー軸３４ａを支点として、レバー土台部３４ｂがレバーハブ用バネ３７で押される。このためレバー用ハブ３４は、図１４（ｃ）において時計回りに回動するように付勢される。
【００３８】
ロック部３５は、レバー用ハブ３４の回動を防止するための部材である。図１５（ａ），（ｂ）に示すように、ロック部３５は回動部３５ａと上下部３５ｂからなる。回動部３５ａと上下部３５ｂは互いに回動可能にピン３５ｃで係合している。回動部３５ａは略Ｊ字状であり、上下部３５ｂはＩ字状である。回動部３５ａは、図１５（ａ），（ｂ）に示すように、ロック軸３５ｅと、軸３５ｈを有している。軸３５ｈには、ロック部用バネ３８の端部が係合している。ロック部用バネ３８のもう一方の端部は、ロック部３５を筺体３０に組み込んだ際にネジ筒３０ｆに係合する。ロック軸３５ｅの略中央には、ロック用孔３５ｆを有している。ロック用孔３５ｆには、伸縮門扉９０等に取り付けられたシリンダー錠等に連動する軸が挿入される。
ロック軸３５ｅは、筺体３０のロック部用孔３０ｅに挿通される。このことにより、回動部３５ａはロック軸３５ｅを支点として回動可能に支持される。
上下部３５ｂは、図１５（ａ），（ｂ）に示すように、先端部３５ｄに軸３５ｇを有している。軸３５ｇは、筺体３０の縦孔３０ｃに挿通される。このことにより、上下部３５ｂは縦孔３０ｃに沿って上下可能に支持される。なお、先端部３５ｄは、レバー用ハブ３４のレバー頭部３４ｇと当接する部位である。
【００３９】
つぎに、本体部２の組立構造について説明する。図１６に示すように、本体部２の内部には、前述の鎌部３２と、ホルダ部３３と、レバー用ハブ３４と、ロック部３５と、摺動ピン３６ａ，３６ｂと、レバーハブ用バネ３７と、ロック部用バネ３８と、ホルダ用バネ３９が配置されている。各々の部材の詳細な係合箇所については前述しているため省略するが、大まかな位置について説明する。本体部２の上部にロック部用バネ３８が位置し、その下にロック部３５が位置している。ロック部用バネ３８はロック部３５に係合している。ロック部３５の下にレバー用ハブ３４が位置し、その下にはホルダ部３３が位置している。レバー用ハブ３４は、ホルダ部３３に嵌め合わされており、レバー用ハブ３４のレバー足部３４ｈが、ホルダ部３３の解除孔３３ｂに挿通された摺動ピン３６ｂに当接している。そして、ホルダ部３３に隣接して、鎌部３２が位置している。鎌部３２は、ホルダ部３３に嵌め合わされており、鎌部３２の傾斜部３２ｋが、ホルダ部３３に挿通された摺動ピン３６ａに当接している。
なお、鎌部３２の当接部３２ｄは、錠部２２の突出部２２ａ，２２ｂを跨るように位置している。
【００４０】
また、前述の通り、ロック部用バネ３８の端部は、ロック部３５の軸３５ｈに係合し、ロック部用バネ３８のもう一方の端部は、筺体３０のネジ筒３０ｆに係合している。このため、ロック部３５は図１６に示すように、回動部３５ａが筺体３０に当接した姿勢で保持され、上下部３５ｂが縦孔３０ｃの上部で係止した姿勢で保持されている。
レバーハブ用バネ３７の両端は、各々ネジ筒３０ｇとレバー土台部３４ｂに当接している。このため、レバー用ハブ３４は図１６に示すように、レバー頭部３４ｇがネジ筒３０ｇに当接した姿勢で保持されている。すなわち、レバー用ハブ３４は、レバー軸３４ａを支点として時計回りに回動するように付勢されている。
ホルダ用バネ３９の両端部は、各々摺動ピン３６ｂと筺体３０に当接している。このため、ホルダ部３３は図１６に示すように、摺動ピン３６ｂが横孔３０ｂの左部で係止した姿勢で保持され、摺動ピン３６ａが斜め孔３０ａの下部で係止した姿勢で保持されている。すなわち、ホルダ部３３は、ネジ筒３０ｈ（ホルダ部用孔３３ｃ）を支点として反時計回りに回動するように付勢されている。
鎌部用バネ３２ｉの端部はピン３２ｆに係合しており、鎌部用バネ３２ｉのもう一方の端部は、摺動ピン３６ａに係合している。このため、鎌部３２は図１６に示すように、鎌部３２の当接部３２ｄがネジ筒３０ｋに当接した姿勢で保持されている。すなわち、鎌部３２は、ネジ筒３０ｊ（鎌部用孔３２ｈ）を支点として反時計回りに回動するように付勢されている。換言すれば、鎌部３２のフック部３２ｅは開放方向に付勢されている。
【００４１】
つぎに、本発明の実施形態に係る伸縮門扉用の錠１の動作について説明する。本体部２は、ストライク部３と合致していない状態では、図１６に示す姿勢をとる。前述の通り、鎌部３２のフック部３２ｅは開放方向に付勢されている。すなわち、本体部２は「開状態」にある。
「開状態」にある本体部２がストライク部３に当接すると、図１７（ａ）〜（ｃ）に示す動きとなる。詳しく説明すると、図１７（ａ）に示すように、ストライク部３の棒状部１２が、本体部２の鎌部３２の当接部３２ｄに当接する。その状態のまま、当接部３２ｄが押し込まれると、当接部３２ｄに連動するフック部３２ｅは、ネジ筒３０ｊ（鎌部用孔３２ｈ）を支点として時計回りに回動する。この時、ホルダ部３３に挿通された摺動ピン３６ａは、鎌部３２の傾斜部３２ｋを昇っていく。そして、当接部３２ｄが棒状部１２で押し込まれると、図１７（ｂ）に示すように、摺動ピン３６ａは鎌部３２の先端部３２ｊに達する。さらに、当接部３２ｄが棒状部１２で押し込まれると、図１７（ｃ）に示すように、摺動ピン３６ａは先端部３２ｊから垂直に下り、当接部３２ｄに至る。摺動ピン３６ａは、鎌部用バネ３２ｉでピン３２ｆに係合しているため、摺動ピン３６ａが下方向に引っ張られる。このことにより、鎌部３２のフック部３２ｅは、ストライク部３の棒状部１２を巻き込む方向に付勢される。鎌部用バネ３２ｉの付勢力により棒状部１２は強固にロックされる。このため、本体部２とストライク部３とを合致させるだけで、両者を容易に施錠することができる。なお、図１８に示すように、本体部２は「閉状態」となる。
【００４２】
つづいて、本体部２を「閉状態」から「開状態」に解錠する方法について説明する。図１８に示すように、「閉状態」にある本体部２において、レバー用ハブ３４のレバー軸３４ａを反時計回りに回動させると、レバー軸３４ａを支点として、レバー用ハブ３４が反時計回りに回動する。すると、レバー用ハブ３４のレバー足部３４ｈが、ホルダ部３３の解除孔３３ｂに挿通された摺動ピン３６ｂを、右方向に押圧する。押圧された摺動ピン３６ｂが、筺体３０の横孔３０ｂの右端部まで移動することにより、ホルダ部３３がネジ筒３０ｈ（ホルダ部用孔３３ｃ）を支点として時計回りに回動する。ホルダ部３３の回動に伴って、摺動ピン３６ａが筺体３０の斜め孔３０ａの上部まで移動する。摺動ピン３６ａは、斜め孔３０ａの上部まで移動する際に、鎌部３２の先端部３２ｊを乗り越える。このことにより、棒状部１２を巻き込む方向に付勢されていた鎌部３２のフック部３２ｅは、図１９に示すように、開放方向に付勢される。よって、本体部２を「閉状態」から「開状態」に解錠することができる。
【００４３】
つぎに、本体部２の「閉状態」を保持する方法について説明する。図１８に示すように、「閉状態」にある本体部２において、ロック部３５のロック軸３５ｅを反時計回りに回動させると、ロック軸３５ｅを支点として、回動部３５ａが反時計回りに回動する。すると、回動部３５ａに連結された上下部３５ｂが、筺体３０の縦孔３０ｃに沿って下方向へ移動する。上下部３５ｂが下方向へ移動することにより、図２０に示すように、上下部３５ｂの先端部３５ｄが、レバー用ハブ３４のレバー頭部３４ｇと当接する位置にまで移動する。先端部３５ｄがレバー頭部３４ｇと当接することにより、レバー用ハブ３４の回動を防止する。その結果、本体部２の「閉状態」を保持することができる。すなわち、本体部２とストライク部３の施錠をさらに強固にすることができる。
【００４４】
以上のように、本実施形態によれば、本体部２とストライク部３とを合致させるだけで、両者を容易に施錠することができる。
また本実施形態によれば、例えば地面がデコボコしていて本体部２とストライク部３の上下方向の位置がずれた場合にでも、容易に施錠することができる。
【００４５】
上記した実施形態では、本体部２は伸縮門扉９０（伸縮部）の端部に取り付けられ、ストライク部３は門柱９２（固定部）に取り付けられた例を示したが、本発明はこれに限定されるものではない。例えば、本体部２を門柱９２（固定部）に取り付け、ストライク部３を伸縮門扉９０（伸縮部）に取り付けても構わない。もしくは、伸縮部を２つ有する伸縮門扉において、本体部２とストライク部３を各伸縮部に取り付けて使用しても構わない。
【符号の説明】
【００４６】
１      伸縮門扉用の錠
２      本体部
３      ストライク部
１１ｂ    ガイド部
１２      棒状部
２０      突出部
２２ａ，２２ｂ    突出部
３２ｄ    当接部
３２ｅ    フック部
９０      伸縮門扉（伸縮部）
９２      門柱（固定部）
【図１】
0005581066.tif 000002
【図２】
0005581066.tif 000003
【図３】
0005581066.tif 000004
【図４】
0005581066.tif 000005
【図５】
0005581066.tif 000006
【図６】
0005581066.tif 000007
【図７】
0005581066.tif 000008
【図８】
0005581066.tif 000009
【図９】
0005581066.tif 000010
【図１０】
0005581066.tif 000011
【図１１】
0005581066.tif 000012
【図１２】
0005581066.tif 000013
【図１３】
0005581066.tif 000014
【図１４】
0005581066.tif 000015
【図１５】
0005581066.tif 000016
【図１６】
0005581066.tif 000017
【図１７】
0005581066.tif 000018
【図１８】
0005581066.tif 000019
【図１９】
0005581066.tif 000020
【図２０】
0005581066.tif 000021